【手続補正書】
【提出日】平成16年9月3日(2004.9.3)
【手続補正１】
【補正対象書類名】明細書
【補正対象項目名】全文
【補正方法】変更
【補正の内容】
【書類名】      明細書
【発明の名称】  ジョイントボックス
【特許請求の範囲】
【請求項１】 
内側には結線束を収納する空間を備えると共に、一端には上記結線束における結線部分を先頭にしてボックス本体の奥部に向けて挿入する為の口開部を有するボックス本体は、不透明性の素材で形成し、
そのボックス本体においては、上記ボックス内に挿入される結線部分を位置させる個所の外周の一部分に、上記結線束の結線部分が位置する個所を外部から透視点検する為の窓を設け、その窓には上記結線部分の透視点検を可能に透明板を装着してあることを特徴とするジョイントボックス。 
【発明の詳細な説明】
【０００１】
【発明の属する技術分野】
本願は電気配線工事における結線束を収納するジョイントボックスであって、結線束の結線部分が位置する部分を外部から透視点検できるようにしてあるジョイントボックスに関する。
【０００２】
【従来の技術】
従来のアウトレットボックス、プールボックス等のジョイントボックスは、結線数の多少にかかわらず、結線部分を握り、むりやり折り曲げ狭いボックス内に押し込め、更に蓋を締め付けるなど結線部分の接続機能を著しく消耗させる問題点を有していた。
また、ジョイントボックス内部において不適切な接続手段が施されていても、これを外部から発見することはできず、点検に時間を要する問題点があった。
上記結線部分の透視点検を可能にする為に内部の透視を可能にする樹脂材を用いてボックス本体を成型すると、それの廃棄処分の際ダイオキシン発生の原因をなす等、環境悪化の問題が生じていた。
【０００３】
【発明が解決しようとする課題】
本願は、上記問題点を解決するため、真っ直に分岐結線したままの状態で収納し得る構造のボックスを成型し、分岐結線束の結線部分が位置する部分を外部から透視点検できるようにしたものである。
【０００４】
【課題を解決するための手段】
本願発明のジョイントボックスは、内側に結線束を収納する空間を備え、一端には上記結線束における結線部分を先頭にしてボックス本体の奥部に向けて挿入する為の口開部を有するボックス本体は、不透明性の素材で形成し、そのボックス本体においては、上記ボックス内に挿入される結線部分を位置させる個所の外周の一部分に、上記結線束の結線部分が位置する個所を外部から透視点検する為の窓を設け、その窓には上記結線部分の透視点検を可能に透明板を装着したのである。
【０００５】
【発明の実施の形態】
ボックス本体は、電気配線工事における分岐結線束を真っ直のままで収納し得る構造のボックスにし、上部左右に設けた止め孔を用い、吊りボルト等の造営材に結び付け又は掛け止め得るようにする。経済性に優れ、成型し易く、環境問題、電気的に良い樹脂材に自消性を加えて成型し、そのことにより透視困難化しても、結線部分が位置する部分に窓を設け、その部分に透明板又は透明カバーを取付け、外部から結線部分が透視点検可能としたことにより実質的透明ジョイントボックスと成す。
【０００６】
本願の実施例を示す図面について説明すると、図１において矢印Ａはボックス本体１の内部に挿入した結線束であり、複数の電線ケーブル１０の先端相互を定めに従い、コネクタ１３を用い結線した束である。
２は、成型し易く、電気的に良い樹脂材に自消性を加えて成型されているボックス本体１に設けられている透視窓であり、図１に示されるボックス本体１における上方位置（奥部）の前面に設けてある。この透視窓２は、ボックス本体１における上方位置（奥部）の前面に図示のような窓を設ける。それに図２に示される透明板３を取り付け一体化し、ボックス本体１の内に収納した結線束Aの結線部分が外部より透視点検できるようになっている。
【０００７】
図２に示されている４は、上記透視窓２における窓に被せ着ける透視板３に付設してある掛け部であり、透視板３の周辺における裏側に複数設け、透視窓２における窓に挿入し、窓の受け枠部５の裏側縁部に掛け止めし、透視板３を固定する。
５は受け枠部であり、額縁のように僅かの段を形成し、この部分に透視板３がはまり透明板３が固定する。６は口開部であり、ボックス本体の入口。７は結束長孔であり、結線束の付け根に相当する電線ケーブル１０を結束バンド８等により結束する。１１は屈曲部であり、結束長孔７の直ぐ奥部に位置する複数の電線ケーブル１０を外側に向け折り曲げておき、軽く結束してもこの屈曲部１１曲が結束バンド８に阻止され抜け止まり電気的安全が保たれる。
【０００８】
８は結束バンドであり、電線ケーブル１０又は吊りボルト１６に結束する紐であり、他にバインド線など絶縁性を有すれば、結束バンド８に限らない。９は口開縁部であり、結束長孔７の奥部上部に位置するため電線ケーブル１０を直接結束するためボックス本体１は硬軟何れであっても作業に支障無く結束できる。１２は電線であり、電線ケーブル１０を剥離して一重の絶縁包皮としたもので、分岐結線し易くなした結線束の一部分である。１３は、周知のように電線１２の先端相互の結線部分に付されたコネクタである。
【０００９】
図３は、図１とは窓の構成が異なる例を示す図面である。
１−Ｂはボックス本体であり、矢印Ｂは透視窓であり、ボックス本体１の奥部前面から側部に到り大きく窓を空け、これに図４に現れている透視カバー１７を取り付け、前部及び側部からボックス本体１の内部に収まっている結線束が透視できる。ボックス本体１は分岐結線束を真っ直のまま収納できる構造に成型し、絶縁性、自消性、経済性に優れ、透視困難であるも射出成型容易な樹脂材を用いる。
【００１０】
１４は止め部であり、止め孔１５を設け、これをボックス本体１の上部及び両側に設け、ボックス本体１を上下左右の何れかの方向に向け吊りボルト１６等に結び付け又は掛け止める。
１７は透明カバーであり、Ｕ字形を成し両側に止め孔１８を設けてあり、ボックス本体１−Ｂの透視窓Ｂにカバーすると、止め突起１９が止め孔１８にはまり込み固定する。
【００１１】
なお、透視窓２又は透視窓Ｂの形状、またこれらのカバーに用いる透明板３及び透明カバー１７の取り付け方法及びそれらの形状は、本願の装置に限定することなく、任意の形状、任意の取り付け装置など従来技術を用いれば可とする。  
さらに図１に示すように、口開縁部９を結束長孔７の位置より奥部上部に位置した場合には図示のように電線ケーブル１０の結束場所の前は解放されるので、開放状態で直接結束できる。従って、ボックス本体１の材質は、硬軟何れでも容易に結束できる。
【００１２】
ジョイントボックス本体１の成型に用いる素材は、成型後透視困難になる素材、即ち不透明性の素材であるも、経済的で、成型容易、自消性を有し、または環境問題が少ない等に優れておる素材を用いればよい。このボックス本体１に用いた素材が透視困難であっても、それを補う方法として、ボックス本体１（又はボックス本体１−Ｂ）に収納した結線束の結線部分及びその周囲が外部から透視でき得る位置に透視窓２又は透視窓Ｂを設け、その部分を透明板３又は透視カバー１７を取り付け、収納した結線束の結線部分を前面、或いは前面及び側面から透視点検を可能とすればよい。
【００１３】
当然ながら、本来、自消性を有する樹脂材においても、不透明性であれば本願の窓２又は窓Ｂ等を設け、これに透明板３又は透視カバー１７を取り付ければ本願の効果に変わり無く得ることができる。
【００１４】
【発明の効果】
本願発明におけるボックス本体１は、全体を不透明性の素材で形成する一方で、ボックス本体１における結線部分１３が位置する個所の外周に、上記結線部分１３を外部から透視点検する為の窓２を部分的に設け、その窓２に結線部分１３の透視点検を可能にする透明板３を装着するものであるから、上記結線部分１３を従来のボックス本体と同様に電気的に保護するは勿論のこと、
ボックス本体１の大部分を、不透明性の素材、即ち、従来の透明素材のように色々な問題点を備える素材に比較して、環境に優しく、かつ電気的にも優れた好みの素材を任意に選定して用いることのできる利点があり、
そのように素材選定の自由度が増すものであっても、ボックス本体１の内部における結線部分１３の透視点検は、従来の透明素材を全体にわたって用いたボックス本体と同様に可能になる効果がある。
【図面の簡単な説明】
【図１】使用状態を示す本願の透明ジョイントボックスの正面図。
【図２】透明板３の斜視図。
【図３】ボックス本体１−Ｂにおける透視窓Ｂを示す一部斜視図。
【図４】透明カバー１７の斜視図。
【符号の説明】
矢印−Ａ 結線束
矢印−Ｂ 透視窓Ｂ
１ ボックス本体
１−Ｂ ボックス本体Ｂ
２ 透視窓
３ 透明板
４ 掛け部
５ 受け枠部
６ 口開部
７ 結束長孔
８ 結束バンド
９ 口開縁部
１０ 電線ケーブル
１１ 屈曲部
１２ 電線
１３ コネクタ
１４ 止め部
１５ 止め孔
１６ 吊りボルト
１７ 透明カバー
１８ 止め孔
１９ 止め突起